(57)【特許請求の範囲】
【請求項１】
ガス流路を開く開位置とガス流路を閉じる閉位置との間で回転可能なボール弁体を備えたボール弁と、前記ボール弁体の開閉操作を行うための操作ハンドルと、前記ボール弁及び操作ハンドルを覆うように開閉自在に取り付けられた蓋体とを備え、
前記操作ハンドルは、前記蓋体に対する垂直な軸を有する軸部材を軸中心に回動可能に設けられ、前記蓋体は、前記ボール弁体が開位置にある時の操作ハンドルの位置と対応する位置に第１窓部を有すると共に、前記ボール弁体が閉位置にある時の操作ハンドルの位置と対応する位置に第２窓部を有することを特徴とするガス遮断弁装置。
【請求項２】
ボール弁体が開位置にあることを示す第１の表示部を第１窓部に設けるとともに、前記ボール弁体が閉位置にあることを示す第２の表示部を第２窓部に設け、操作ハンドルに、前記ボール弁体が前記開位置にあるか又は閉位置にあるかの識別を容易にするための着色部を設けた請求項１記載のガス遮断弁装置。
【請求項３】
着色部は、互いに異なる色が着色された第１着色部と第２着色部とからなる請求項２記載のガス遮断弁装置。
【請求項４】
ボール弁と操作ハンドルとの間に仕切り板を設け、ボール弁体が開位置にあることを示す第１の表示部の色、及び前記ボール弁体が閉位置にあることを示す第２の表示部の色を前記仕切り板の色と同系色にした請求項３記載のガス遮断弁装置。
【請求項５】
操作ハンドルは、第１窓部の位置と対応する位置に、ボール弁体が開位置にあることを示す第１の表示部を有するとともに、第２窓部の位置と対応する位置に、前記ボール弁体が閉位置にあることを示す第２の表示部を有する請求項１記載のガス遮断弁装置。
【請求項６】
ボール弁と操作ハンドルとの間に仕切り板を設け、前記仕切り板には、前記仕切り板における第１窓部の位置と対応する位置に、ボール弁体が閉位置にあることを示す第２の表示部を設け、かつ第２窓部の位置と対応する位置に前記ボール弁体が開位置にあることを示す第１の表示部を設けた請求項１記載のガス遮断弁装置。
【請求項７】
軸部材の回転軸から第１窓部までの距離と、前記軸部材から第２窓部までの距離とが異なる請求項１ないし６のいずれか１項に記載のガス遮断弁装置。
【発明の詳細な説明】
【技術分野】
【０００１】
本発明は、配管等に接続されているボール弁等のガス遮断弁装置に関し、さらに詳しくは、ボール弁におけるボール弁体の開閉状態を識別できるようにしたガス遮断弁装置に関する。
【背景技術】
【０００２】
従来から、ガス等の流体が通過する流路の開閉を行うバルブの一つとしてボール弁が知られている。一般には、ボール弁は、ボディ、ボール弁体及び操作ハンドルから構成されている。ボディは、ガス流路が内部に形成された管状の部材であり、両端がガス配管と接続できるようになっている。また、ボディには、内部にボール弁体が配置されている。ボール弁体は、内部を貫通する流路孔を設けた球状の部材から構成されており、ボディの内部において、流路孔の位置と流路の位置とが一致しガスの流れを許容する開位置と、流路孔の位置と流路の位置とが一致せずガスの流れを遮断する閉位置との間で回転自在に配置されている。操作ハンドルは、ボール弁体を開位置と閉位置との間で回転させる開閉操作を行うためのもので、軸部材を介してボール弁体に取り付けられている（例えば、非特許文献１）。
【０００３】
通常のボール弁は、操作ハンドルの向きがボディ内に形成されたガス流路方向と同一の場合にボール弁体が開位置に位置するようにし、操作ハンドルを９０度回動させて、操作ハンドルの向きをガス流路方向に直交させると、操作ハンドルの回動操作に伴ってボール弁体も開位置から９０度回転して閉位置に位置するように構成されている。
なお、ボール弁には、操作ハンドルにより手動でボール弁の開閉操作を行うもののほか、圧空式のアクチュエータ等を用いてボール弁体の開閉操作を行うものもある。
【０００４】
このような構成のボール弁は、工場や学校の実験室、病院等の医療施設などにおいて広く用いられている。例えば、病院等の医療施設では、酸素ガス等のような医療ガスを供給するための装置から各病棟の病室や手術室等の各部屋まで配管が配設されており、ＪＩＳ  Ｔ  ７１０１においては、このような医療配管設備に関して、建屋の各階に区域別遮断弁を設けることが決められている。区域別遮断弁は、建屋の各階にガスを供給するメイン配管から分岐して、手術室や一般病室等にガスを供給するためのガス配管に設けられる弁であり、保守時や緊急時に医療施設内の区域を分離することを目的として使用される。そのため、区域別遮断弁には、流路の開閉操作が迅速かつ簡単に行えるボール弁が広く利用されている。
【０００５】
また、ＪＩＳ  Ｔ  ７１０１においては、区域別遮断弁は蓋体又は扉付きの筐体に収納しなければならないと決められているため、病院では、通路の壁に筐体を取付け固定したり、筐体を壁に埋め込む等して区域別遮断弁を設置している。蓋体は、緊急時等に備えて誰でも簡単に開けられるようになっており、操作ハンドルの開閉操作を迅速に行えるようになっている。
【先行技術文献】
【非特許文献】
【０００６】
【非特許文献１】株式会社キッツ  ボールバルブ総合カタログ[online]、[平成２１年４月１５日検索]、インターネット＜ＵＲＬ  http://www.kitz.co.jp/product/pdf/prant/J-201-42.pdf＞
【発明の概要】
【発明が解決しようとする課題】
【０００７】
しかしながら、従来の区域別遮断弁としてのボール弁は、軸部材がボール弁体の流路孔に対し垂直な軸が蓋体の面に対して平行となるように設けられていた。このため、軸部材に取付けられた操作ハンドルは、蓋体の面に対して平行な軸を有する軸部材を中心として回動するので、操作ハンドルを９０度回動してボール弁体を開位置から閉位置に位置させた時、操作ハンドルの一部が筐体の外へ突出するという事態を招いていた。そのため、蓋体を閉じることができず、患者や看護師など、区域別遮断弁を設置した通路を頻繁に行き来する人が操作ハンドルにぶつかったり、引っかかったりすることにより怪我を誘発する恐れがあった。
【０００８】
このような問題は、ボール弁体が閉位置に位置する場合も操作ハンドルの一部が筐体の外へ突出しないように、大型化した筐体を壁に取付固定することや、壁を厚くして筐体の埋め込み深さを確保することで、蓋体を閉められるようにすることが考えられる。しかし、大型化した筐体を壁に取付固定した場合には、筐体がさらに通路側へ突出して配置されるため、患者や看護師等がさらにぶつかりやすくなるという問題がある。また、壁を厚くして筐体の埋め込み深さを確保する場合には、筐体の突出という問題はないが、必要以上に壁を厚く設計することとなり、そのため通路が全体的に狭くなる恐れがあり、緊急時などに適切な方法で患者等を誘導することが困難になる等の問題が生じる。また、施設によっては壁を厚くすることができない場合もあるため、壁を厚くすることも適切な解決策にはなり得ない。また、区域別遮断弁として用いたボール弁のボール弁体を閉位置にするのは、緊急時等のような一時的な場合が多く、一時的な処置のために筐体の大型化や壁厚を増加させるのは、不経済である。
【０００９】
また、従来のガス遮断弁は、ボール弁の構造を知っていないとボール弁体が開状態であるのか、或いは閉状態であるのかの識別が困難であり、操作ハンドルの方向とボール弁体の開閉状態の関係が必ずしも明確でなく、ボール弁体の開閉操作時に誤操作を招く危険があった。
【００１０】
本発明は、上述した問題を解決するためになされたもので、ボール弁体を閉位置にした場合に操作ハンドルが筐体から突出することがなく、かつボール弁体の開閉状態を容易に識別することが可能なガス遮断弁装置を提供することを目的とする。
【課題を解決するための手段】
【００１１】
本発明は、
（１）ガス流路を開く開位置とガス流路を閉じる閉位置との間で回転可能なボール弁体を備えたボール弁と、前記ボール弁体の開閉操作を行うための操作ハンドルと、前記ボール弁及び操作ハンドルを覆うように開閉自在に取り付けられた蓋体とを備え、前記操作ハンドルは、前記蓋体に対する垂直な軸を有する軸部材を軸中心に回動可能に設けられ、前記蓋体は、前記ボール弁体が開位置にある時の操作ハンドルの位置と対応する位置に第１窓部を有すると共に、前記ボール弁体が閉位置にある時の操作ハンドルの位置と対応する位置に第２窓部を有することを特徴とするガス遮断弁装置、
（２）ボール弁体が開位置にあることを示す第１の表示部を第１窓部に設けるとともに、前記ボール弁体が閉位置にあることを示す第２の表示部を第２窓部に設け、操作ハンドルに、前記ボール弁体が前記開位置にあるか又は閉位置にあるかの識別を容易にするための着色部を設けた上記（１）記載のガス遮断弁装置、
（３）着色部は、互いに異なる色が着色された第１着色部と第２着色部とからなる上記（２）記載のガス遮断弁装置、
（４）ボール弁と操作ハンドルとの間に仕切り板を設け、ボール弁体が開位置にあることを示す第１の表示部の色、及び前記ボール弁体が閉位置にあることを示す第２の表示部の色を前記仕切り板の色と同系色にした上記（３）記載のガス遮断弁装置、
（５）操作ハンドルは、第１窓部の位置と対応する位置に、ボール弁体が開位置にあることを示す第１の表示部を有するとともに、第２窓部の位置と対応する位置に、前記ボール弁体が閉位置にあることを示す第２の表示部を有する上記（１）記載のガス遮断弁装置、
（６）ボール弁と操作ハンドルとの間に仕切り板を設け、前記仕切り板には、前記仕切り板における第１窓部の位置と対応する位置に、ボール弁体が閉位置にあることを示す第２の表示部を設け、かつ第２窓部の位置と対応する位置に前記ボール弁体が開位置にあることを示す第１の表示部を設けた上記（１）記載のガス遮断弁装置、
（７）軸部材の回転軸から第１窓部までの距離と、前記軸部材から第２窓部までの距離とが異なる上記（１）ないし（６）のいずれか１つに記載のガス遮断弁装置、
を要旨とする。
【発明の効果】
【００１２】
本発明によれば、操作ハンドルは、蓋体に対して垂直な軸を有する軸部材を中心に回動するように構成したので、ボール弁体を閉位置に位置するように操作ハンドルを操作しても、操作ハンドルが筐体から突出しないようにすることが可能になる。したがって、患者や看護師等が操作ハンドルにぶつかったり引っかかる等して怪我を誘発する恐れをなくすことが可能になる。
また、ボール弁体が開位置にある時の操作ハンドルの位置と対応する位置に第１窓部を有し、ボール弁体が閉位置にある時の操作ハンドルの位置と対応する位置に第２窓部を有するように構成したので、操作者は、操作ハンドルが第１窓部又は第２窓部に位置しているかを確認することでボール弁体が開状態か閉状態かを一見して識別することができ、緊急時等に迅速に操作ハンドルの操作をすることが可能になるとともに、誤操作を防止することが可能になる。
【図面の簡単な説明】
【００１３】
【図１】（ａ）は、本発明の第１の実施の形態のガス遮断弁装置で、ボール弁体が開位置にある状態の正面図、（ｂ）は蓋体を開けた場合にボール弁が開位置にある状態の正面図である。
【図２】（ａ）は、本発明の第２の実施の形態のガス遮断弁装置で、ボール弁体が開位置にある状態の正面図、（ｂ）は蓋体を開けた場合にボール弁体が開位置にある状態の正面図である。
【図３】（ａ）は、本発明の第３の実施の形態のガス遮断弁装置で、ボール弁体が開位置にある状態の正面図、（ｂ）は蓋体を開けた場合にボール弁体が開位置にある状態の正面図である。
【図４】（ａ）は、本発明の第４の実施の形態のガス遮断弁装置で、ボール弁体が開位置にある状態の正面図、（ｂ）は蓋体を開けた場合にボール弁体が開位置にある状態の正面図である。
【図５】本発明の第４の実施の形態のガス遮断弁装置で、壁に埋め込まれた状態を表した縦断面図である。
【発明を実施するための形態】
【００１４】
本発明の第１の実施の形態であるガス遮断弁装置について、図１に基づいて説明する。図１は、本発明の第１の実施の形態のガス遮断弁装置で、（ａ）は、ボール弁体が開位置にある状態の正面図、（ｂ）は蓋体を開けた場合にボール弁が開位置にある状態の正面図である。
【００１５】
なお、本明細書においては、病院などの医療施設において利用されるガス遮断弁装置を一例として挙げて説明するが、本発明のガス遮断弁装置はこれに限定されず、例えば、大学等の教育機関や工場等のガス供給設備に適用してもよい。また、本明細書においては、ガス遮断弁装置を壁に埋め込んで使用するものを用いて説明するが、ガス遮断弁装置を壁に取付固定したものに適用してもよい。
【００１６】
本実施の形態のガス遮断弁装置１は、ボール弁２と、操作ハンドル３と、これらを収納する筐体４とから構成されている。ボール弁２は、ボディ５とボール弁体６（図５参照）とを備えている。ボディ５は、銅等の金属で形成された管状の部材であり、両端がガス配管７、８に設けられたナット等の接続金具７ａ、８ａで接続されている。また、ボディ５の内部にはガス流路５ａが形成されており、このガス流路５ａを酸素ガス等のような医療ガスが流れるようになっている。また、ボディ５には、このガス流路５ａの一部を構成し、ガス流路５ａを開いてガスの流れを許容する開位置と、ガス流路５ａを閉じてガスの流れを遮断する閉位置との間で回転自在に配置されたボール弁体６が収容されている。
【００１７】
図５に示すように、ボール弁体６は、直線状の流路孔が貫通して設けられた金属製の球体である。このボール弁体６には、流路孔と直交する方向に軸部材９が取付固定されている。ボール弁体６は、ボディ５の内部において軸部材９を回転軸として９０度の範囲内で回転することができるように配置されている。図５に示すように、軸部材９は、蓋体１３の面に対する垂直な軸を有しており、一端がボール弁体６に取付固定され、他端には操作ハンドル３が固定されている。
【００１８】
操作ハンドル３は、ボール弁体の開閉操作を行うためのもので、金属で形成された平板棒状の部材により形成されている。この操作ハンドル３の操作によりボール弁体６を回転させることができ、ボール弁体６の流路孔の位置が流路の位置と一致してガス流路５ａが形成される開位置と、ボール弁体６が開位置から９０度回転し、流路孔の位置が流路の位置と直交する方向に位置してガス流路５ａが遮断される閉位置にすることができる。本形態の操作ハンドル３には、軸部材９の軸中心から距離Ｌ１だけ離れた先端部に、ボール弁体６が開位置にあるか又は閉位置にあるかの識別を容易にするために緑色に着色された着色部１０が形成されている。
【００１９】
操作ハンドル３には、一端部に軸部材９と嵌合するための取付孔が形成されている。この操作ハンドル３は、取付孔に軸部材９を挿通してボルト止めすることにより、蓋体１３の面に対して垂直な軸を有する軸部材９を介してボール弁体６と相互に連結され、軸部材９を中心に回動可能に設けられる。また、操作ハンドル３には、一端部側に切り欠かれた切り欠き部３ａが形成されており、ボディ５から突出するように形成された突起状のストッパ１１が、切り欠き部３ａの両端面の間に位置するように配置されている。ストッパ１１は、切り欠き部３ａの両端面のいずれかと当接することによって、操作ハンドル３が９０度以上回動しないように形成されている。
なお、この操作ハンドル３の取付孔の位置は、ハンドルの中央部にあってもよく、またストッパ１１を別の方法により形成してもよい。
【００２０】
筐体４は、ボール弁２や操作ハンドル３を収納するための箱状の部材であり、筐本体１２と蓋体１３とからなる。蓋体１３は、筐本体１２の下部に設けられた２つの蝶番１２ａ、１２ｂによって、図５に示すＡ方向へ開閉自在となるように取り付けられており、蓋体１３が閉められた時に、ボール弁２と操作ハンドル３を覆うように構成されている。筐本体１２は、上面の２ヶ所にガス配管７、８が挿通可能な大きさの孔（図示せず）が設けられており、筐本体１２の内部にガス配管７、８を導けるようになっている。なお、筐体４の材質としては、例えばアルミニウム等の金属が用いられるが、それ以外の金属を用いてもよいし、樹脂材などのような金属以外のものを用いてもよい。
【００２１】
蓋体１３には、第１窓部１４及び第２窓部１５が設けられている。第１窓部１４は、操作ハンドル３を操作してボール弁体６を開位置に位置させた場合に、この操作ハンドル３の着色部１０を視認できるようにするためのものであり、第２窓部１５は、操作ハンドル３を操作してボール弁体６を閉位置に位置させた場合に、この操作ハンドル３の着色部１０を視認できるようにするためのものである。
【００２２】
これら第１窓部１４及び第２窓部１５は、着色部１０が視認できる位置、すなわち軸部材９の軸中心から距離Ｌ１だけ離れた位置に設けられている。また、蓋体１３には、ガス配管７、８の圧力を示す圧力計１６の覗き窓１７や、供給されるガスの種類等を表示するための名板１８が設けられているとともに、第１窓部１４で着色部１０が視認できるときにはボール弁体６が開位置にあり、第２窓部１５で着色部１０が視認できるときにはボール弁体６が閉位置にあることを示す表示が付されている。
【００２３】
また、第１窓部１４より下方近傍には第１の表示部２０ａが設けられ、第２窓部１５の右方近傍には、第２の表示部２０ｂが設けられている。第１の表示部２０ａは、第１窓部１４から着色部１０が視認できた場合に、操作ハンドル３が開位置に位置していることを知らせるためのもので、適宜方法によって蓋体１３に「開」の文字を付して構成されている。また、第２の表示部２０ｂは、第２窓部１５から着色部１０が視認できた場合に、操作ハンドル３が閉位置に位置していることを知らせるためのもので、適宜方法によって蓋体１３に「閉」の文字を付して構成されている。なお、第１の表示部２０ａ及び第２の表示部２０ｂは、操作ハンドル３が開位置にあるか閉位置にあるかを視認することができれば、第１窓部１４の下方や第２窓部１５の右方以外の近傍に設けてもよい。
【００２４】
図５に示すように、筐体４は、筐本体１２が壁Ｗ内に埋め込まれ、蓋体１３が壁Ｗから露出するようにして配置されている。この蓋体１３は、前述の通り図５中のＡ方向に開閉自在に設けられている。また、筐体４内に収納されたボール弁２は、軸部材９が蓋体１３の面に対して垂直な軸を有するように、台座１９を介して配置される。すなわち、操作ハンドル３は、ガス遮断弁装置１を正面から見た場合において、ボール弁体６が開位置に位置する場合は水平方向へ向くように位置し、ボール弁体６が閉位置に位置する場合は垂直方向へ向くように位置する。図５に示すように、操作ハンドル４は、ボール弁体６が閉位置に位置する場合も、操作ハンドル４の先端部が筐本体１２から突出しないように位置させることができ、ボール弁体６が閉位置に位置する際にも蓋体１３を閉めることができるように構成されている。
【００２５】
次に、本実施の形態のガス遮断弁装置１の作用について説明する。病院等の医療施設に配置された区域別遮断弁としてのガス遮断弁装置１は、通常はボール弁体６が開位置に位置し、ガスが流れるようになっている。また、蓋体１３も閉められている。したがって、通常は、第１窓部１４を介して操作ハンドル３における着色部１０に着色された色を視認することができ、第１窓部１４から着色部１０を視認できる場合にはボール弁体６が開位置にあること、第２窓部１５から着色部１０を視認できる場合にはボール弁体６が閉位置にあることを示す蓋体１３の表示と併せて視認することにより、ボール弁体６が開位置に位置していることを容易に知ることができる。
【００２６】
ここで、ボール弁体６を開位置から閉位置まで回転させてガスの流れを遮断する場合には、図１（ｂ）に示すように、操作者が蓋体１３を開けて、水平方向に位置する操作ハンドル３を回動させて先端部が下向きとなるように位置させる。このとき、操作ハンドル３は、軸部材９を中心として回動するので、ボール弁体６を開位置から閉位置に回転させても、操作ハンドル３の先端部が筐本体１２から突出せず、蓋体１３を閉じることができる。
【００２７】
このようにして、ボール弁体６を閉位置に位置させて蓋体１３を閉じた場合には、操作者は、第２窓部１５を介して操作ハンドル３の着色部１０に着色された色を視認することができ、上述した蓋体１３の第２の表示部２０ｂの表示と併せて視認することにより、ボール弁体６が閉位置に位置していることを容易に知ることができる。
【００２８】
以上より、本実施の形態のガス遮断弁装置においては、ボール弁体６が閉位置になるように操作ハンドル３を操作しても、この操作ハンドル３が筐本体１２から突出しないので、ボール弁体６が閉位置になるように操作ハンドル３を操作した後に蓋体１３を確実に閉じることができる。したがって、ボール弁体６が閉位置に位置している場合も、看護師や患者などが操作ハンドル３に引っかかり、怪我の誘発を未然に防止することが可能になる。
【００２９】
また、本実施の形態のガス遮断弁装置においては、着色部１０が第１又は第２窓部１４、１５に位置しているか確認すること、更に、蓋体１３に付された表示とを併せて視認することによって、操作者に対し、操作前の段階でボール弁体６が閉位置と開位置のどちらに位置しているのかを明確に知らせることができ、操作者によるガス遮断弁装置のボール弁の誤操作を未然に防止することが可能になり、確実に開閉操作を行うことが可能になる。
【００３０】
次に、第２の実施の形態のガス遮断弁装置２１を図２に基づいて説明する。図２は、本発明の第２の実施の形態のガス遮断弁装置で、（ａ）はボール弁体が開位置にある状態の正面図、（ｂ）は蓋体を開けた場合にボール弁体が開位置にある状態の正面図である。なお、以下においては、先の実施の形態のガス遮断弁装置と同じ構造のついては説明を省略し、符号も同一のものを使用して説明する。
【００３１】
本実施の形態のガス遮断弁装置２１は、操作ハンドル２３の先端部に、第３の表示部としての着色部２４が形成されている。この着色部２４は、異なる色が塗布された第１着色部２５と第２着色部２６とから構成されている。第１着色部２５は、軸部材９の中心から距離Ｌ２だけ離れた地点を中心位置として例えば緑色の塗料によって塗布されて形成されている。また、第２着色部２６は、軸部材９の中心から距離Ｌ３だけ離れた地点を中心位置として例えば赤色の塗料によって塗布されて形成されている。なお、Ｌ２とＬ３の関係はＬ２≠Ｌ３となるように形成されている。
【００３２】
蓋体２７には、第１窓部２８と第２窓部２９が設けられている。第１窓部２８は、操作ハンドル２３を操作してボール弁体６を開位置に位置させた場合に、この操作ハンドル２３の第１着色部２５を視認できる位置に設けられている。この第１窓部２８には、ボール弁体が開位置にあることを示す「開」の文字からなる第１の表示部２８ａが付されている。
【００３３】
また、第２窓部２９は、操作ハンドル２３を操作してボール弁体６を閉位置に位置させた場合に、この操作ハンドル２３の第２着色部２６を視認できる位置に設けられている。この第２窓部２９には、ボール弁体が閉位置にあることを示す「閉」の文字からなる第２の表示部２９ａが付されている。これら第１窓部２８及び第２窓部２９は、それぞれ第１着色部２５、第２着色部２６と同様に、軸部材９の中心から、それぞれ距離Ｌ２、Ｌ３だけ離れた位置を中心として開口形成されている。
【００３４】
次に、本実施の形態のガス遮断弁装置２１の作用について説明する。先に説明した第１の実施の形態のガス遮断弁装置１と同様に、本実施の形態のガス遮断弁装置２１は、通常はボール弁体６が開位置に位置し、ガスが流れるようになっている。また、蓋体２７も閉められている。したがって、通常は、操作ハンドル２３の第１着色部２５に塗布された緑色は、第１窓部２８を介して視認することができ、また第１窓部２８は第１の表示部２８ａが付されているので、第１の表示部２８ａとして付された「開」の文字と第１着色部２５に塗布された緑色とを同時に視認することにより、ボール弁体６が開位置に位置していることを容易に識別することができる。
【００３５】
ここで、ボール弁体６を開位置から閉位置まで回転させてガスの流れを遮断する場合には、図２（ｂ）に示すように、操作者が蓋体２７を開けて、水平方向に位置する操作ハンドル２３を回動させて先端部が下向きになるように位置させる。このとき、操作ハンドル２３は、軸部材９を中心として回動するので、ボール弁体６を開位置から閉位置に回転させても、操作ハンドル２３の先端部が筐本体１２から突出せず、蓋体２７を閉じることができる。
【００３６】
このようにして、ボール弁体６を閉位置に位置させて蓋体２７を閉じた場合には、軸部材９の中心から第１窓部２８の中心までの距離を軸部材９から第１着色部２５の中心までの距離Ｌ２と同じ長さに、また軸部材９の中心から第２窓部２９の中心までの距離を軸部材９から第２着色部２６の中心までの距離と同じ長さにしたので、ボール弁体６が閉位置に位置するように操作ハンドル２３を操作した場合には、操作ハンドル２３の第２着色部２６に塗布された赤色を第２窓部２９を介して視認できるようになる。また、第２窓部２９には第２の表示部２９ａが付されているので、第２の表示部２９ａとして付された「閉」の文字と第２着色部２６に塗布された赤色とを同時に視認することにより、ボール弁体６が閉位置に位置していることを容易に識別することができる。
【００３７】
以上より、本実施の形態のガス遮断弁装置においては、ボール弁体６が閉位置になるように操作ハンドル２３を操作しても、この操作ハンドル２３が筐本体１２から突出しないので、ボール弁体６が閉位置になるように操作ハンドル２３を操作した後に蓋体２７を確実に閉じることができる。したがって、ボール弁体６が閉位置に位置している場合も、看護師や患者などが操作ハンドル２３に引っかかり、怪我の誘発を未然に防止することが可能になる。
【００３８】
なお、本実施の形態における第１着色部２５及び第２着色部２６に塗布される色は、ボール弁体６の開位置を示す色と閉位置を示す色とを予め定めておくことによって、赤又は緑以外の色を用いることも可能である。また、第１の表示部２８ａ及び第２の表示部２９ａにおける表示は、ボール弁体６が開位置又は閉位置のいずれにあるかが識別できるものであれば、「開」や「閉」以外の文字を用いてもよいし、文字以外の記号等を用いてもよい。また第１の表示部２８ａ、第２の表示部２９ａを第１窓部２８、第２窓部２９に設けず、第１窓部２８、第２窓部２９の近傍に設けてもよい。
【００３９】
次に、第３の実施の形態のガス遮断弁装置３１を図３に基づいて説明する。図３は、本発明の第３の実施の形態のガス遮断弁装置で、（ａ）はボール弁体が開位置にある状態の正面図、（ｂ）は蓋体を開けた場合にボール弁体が開位置にある状態の正面図である。
【００４０】
本実施の形態のガス遮断弁装置３１は、操作ハンドル３３を有している。この操作ハンドル３３には、表示部３４が設けられている。この表示部３４は、第１の表示部３５と第２の表示部３６とから構成されており、第１の表示部３５は軸部材９の軸中心から距離Ｌ２の位置が中心となるように設けられ、第２の表示部３６は軸部材９の軸中心から距離Ｌ３の位置が中心となるように設けられている。また、この第１の表示部３５は「開」の文字が付されてなり、第２の表示部３６は「閉」の文字が付されてなる。図３に示すように、第２の表示部３６における「閉」の文字は、第１の表示部３５に付された「開」の文字に対して９０度回転した状態に付されており、ボール弁体６を閉位置に位置させるよう操作ハンドル３３を操作した際に、後述する第２窓部から視認可能な「閉」の文字が上下左右さかさまにならないように付されている。
【００４１】
また、蓋体３７には、第１窓部３８及び第２窓部３９が設けられている。第１窓部３８は、第１の表示部３５が視認できる位置、すなわち軸部材９の軸中心から距離Ｌ２だけ離れた位置を中心として設けられた開口部であり、第２窓部３９は、第２の表示部３６が視認できる位置、すなわち軸部材９の軸中心から距離Ｌ３だけ離れた位置を中心として設けられた開口部である。
【００４２】
次に、本実施の形態のガス遮断弁装置３１の作用について説明する。先に説明した第１及び第２の実施の形態のガス遮断弁装置１、２１と同様に、本実施の形態のガス遮断弁装置３１は、通常はボール弁体６が開位置に位置し、ガスが流れるようになっている。また、蓋体３７も閉められている。したがって、通常は、第１窓部３８を介して操作ハンドル３３の第１の表示部に付された「開」の文字を視認することができ、第２窓部３９には「閉」等の文字が表示されず、ボール弁体６が開位置に位置していることを容易に識別することができる。
【００４３】
ここで、ボール弁体６を開位置から閉位置まで回転させてガスの流れを遮断する場合には、図３（ｂ）に示すように、操作者が蓋体３７を開けて、水平方向に位置する操作ハンドル３３を回動させて先端部が下向きになるように位置させる。このとき、操作ハンドル３３は、軸部材９を中心として回動するので、ボール弁体６を開位置から閉位置に回転させても、操作ハンドル３３の先端部が筐本体１２から突出せず、蓋体３７を閉じることができる。
【００４４】
このようにして、ボール弁体６を閉位置に位置させて蓋体３７を閉じた場合には、軸部材９の軸中心から第１窓部３８の中心までの距離を軸部材９から第１の表示部３５の中心までの距離Ｌ２と同じ長さに、また、軸部材９の軸中心から第２窓部３９の中心までの距離を軸部材９から第２の表示部３６の中心までの距離Ｌ３と同じ長さとしたので、第２窓部３９を介して操作ハンドル３３における第２の表示部３６のみを視認できるようになり、ボール弁体６が閉位置に位置していることを容易に識別することができる。
【００４５】
以上より、本実施の形態のガス遮断弁装置においては、ボール弁体６が閉位置になるように操作ハンドル３３を操作しても、この操作ハンドル３３が筐本体１２から突出しないので、ボール弁体６が閉位置になるように操作ハンドル３３を操作した後に蓋体３７を確実に閉じることができる。したがって、ボール弁体６が閉位置に位置している場合も、看護師や患者などが操作ハンドル３３に引っかかり、怪我の誘発を未然に防止することが可能になる。
【００４６】
また、本実施の形態のガス遮断弁装置３１においては、操作ハンドル３３に第１の表示部３５と第２の表示部３６を設けたので、操作者は、第１窓部３８又は第２窓部３９を介して第１の表示部３５又は第２の表示部３６に付された文字を視認することで、ボール弁体６が開位置又は閉位置のいずれにあるかをより明確に知ることが可能になる。
【００４７】
なお、本実施の形態における第１の表示部３５及び第２の表示部３６における表示の仕方は、ボール弁体６が開位置又は閉位置のいずれにあるかが識別できるものであれば、「開」や「閉」以外の文字を用いてもよいし、文字以外の記号等を用いてもよい。また、第１の表示部３５及び第２の表示部３６は、文字を付して更にその部分を着色等してもよい。また、第１窓部３８及び第２窓部３９も、第１及び第２の表示部３５、３６が識別可能であれば、透明である必要はなく、着色等がされていてもよい。また、文字が大きく視認できるように、第１窓部３８及び第２窓部３９にレンズを取り付けてもよい。なお、上記実施例では第１窓部３８及び第２窓部３９にプラスチック等で形成した透明の板材を設ける例としたが、必ずしも取り付ける必要もない。
【００４８】
次に、第４の実施の形態のガス遮断弁装置４１を図４及び図５に基づいて説明する。図４は、本発明の第４の実施の形態のガス遮断弁装置で、（ａ）はボール弁体が開位置にある状態の正面図、（ｂ）は蓋体を開けた場合にボール弁体が開位置にある状態の正面図であり、図５は、本発明の第４の実施の形態のガス遮断弁装置で、壁に埋め込まれた状態を表した縦断面図である。
【００４９】
ガス遮断弁装置４１の筐本体４２は、内部に仕切り板４３を備えている。図４及び図５に示すように、仕切り板４３は、切り欠きが一部分に形成された板状の部材で、ボール弁２と、操作ハンドル４４の間に位置するように設けられている。また、仕切り板４３には、軸部材９の軸中心から距離Ｌ５だけ水平方向に離れた場所へ「閉」の文字からなる第２の表示部４６が設けられており、軸部材９の軸中心から距離Ｌ５だけ鉛直方向に離れた場所へ「開」の文字からなる第１の表示部４５が設けられている。操作ハンドル４４は、軸部材９の軸中心から先端までの長さＬ４が、軸部材９の軸中心から第１及び第２の表示部４５、４６までの距離Ｌ５よりも長く、Ｌ４とＬ５がＬ４＞Ｌ５の関係となるように形成されている。これら第１の表示部４５としての「開」の文字と、第２の表示部４６としての「閉」の文字は、ボール弁体６を開位置に位置させたときは、操作ハンドル４４によって「閉」の文字が隠されて「開」の文字のみが視認することができ、また、図４（ａ）に示すようにボール弁体６を閉位置に位置させたときは操作ハンドル４４によって「開」の文字が隠されて「閉」の文字のみが視認することができるようになっている。なお、図４（ｂ）では、ボール弁体６が開位置に位置する場合における操作ハンドル４４の先端部を切り欠いた図とし、仕切り板４３に記載された「閉」の文字が識別できるように記載されているが、この場合は、通常は操作ハンドル４４によって「閉」の文字を視認できないようになっている。
【００５０】
また、蓋体４７には、第１窓部４８及び第２窓部４９が設けられている。第１窓部４８は、仕切り板４３に付された第２の表示部４６の「閉」の文字が視認できる位置、すなわち軸部材９の軸中心から水平方向に距離Ｌ５だけ離れた位置を中心として設けられた開口部であり、第２窓部４９は、仕切り板４３に付された第１の表示部４５の「開」の文字が視認できる位置、すなわち軸部材９の軸中心から鉛直方向に距離Ｌ５だけ離れた位置を中心として設けられた開口部である。
【００５１】
次に、本実施の形態のガス遮断弁装置４１の作用について説明する。先に説明した第１〜３の実施の形態のガス遮断弁装置と同様に、本実施の形態のガス遮断弁装置４１は、通常はボール弁体６が開位置に位置し、ガスが流れるようになっている。また、蓋体４７も閉められている。このとき、軸部材９の軸中心から先端までの操作ハンドル４４の長さＬ４と、軸部材の軸中心から第１及び第２の表示部４５、４６までの距離Ｌ５との間にはＬ４＞Ｌ５の関係があるので、操作ハンドル４４が開位置に位置するときは、操作ハンドル４４が第２の表示部４６に付された「閉」と第１窓部４８の間に入り、第１窓部４８から「閉」の文字を見ることができなくなり、第２窓部４９を介して仕切り板４３に付された第１の表示部４５の「開」の文字のみを視認することができ、ボール弁体６が開位置に位置していることを容易に識別することができる。
【００５２】
ここで、ボール弁体６を開位置から閉位置まで回転させてガスの流れを遮断する場合には、図４（ｂ）に示すように、操作者が蓋体４７を開けて、水平方向に位置する操作ハンドル４４を回動させて先端部が下向きになるように位置させる。このとき、操作ハンドル４４は、軸部材９を中心として回動するので、ボール弁体６を開位置から閉位置に回転させても、操作ハンドル４４の先端部が筐本体４２から突出せず、蓋体４７を閉じることができる。
【００５３】
また、軸部材９の軸中心から先端までの操作ハンドル４４の長さＬ４と、軸部材９の軸中心から第１窓部４８及び第２窓部４９の中心までの距離Ｌ５とがＬ４＞Ｌ５の関係にあるので、ボール弁体６が閉位置に位置するように操作ハンドル４４を操作した場合には、操作ハンドル４４が第１の表示部４５に付された「開」と第２窓部４９の間に入り、第２窓部４９を介して「開」の文字を見ることができなくなる。一方、第２の表示部４６に付された「閉」の文字は、第１窓部４８を介して視認できるようになり、ボール弁体６が閉位置に位置していることを容易に識別することができる。また、ボール弁体６を閉位置から開位置まで回転させてガスが流れるようにする場合には、操作者が蓋体４７を開けて、先端部が下向きに位置する操作ハンドル４４を回動させて水平方向に位置させる。このときも、操作ハンドル４４は、蓋体４７の面に対して垂直な軸を有する軸部材９を中心として回動するので、ボール弁体６を閉位置から開位置に回転させて、蓋体４７を閉じることができる。
【００５４】
以上より、本実施の形態のガス遮断弁装置においては、ボール弁体６が閉位置になるように操作ハンドル４４を操作しても、この操作ハンドル４４が筐本体４２から突出しないので、ボール弁体６が閉位置になるように操作ハンドル４４を操作した後に蓋体４７を確実に閉じることができる。したがって、ボール弁体６が閉位置に位置している場合も、看護師や患者などが操作ハンドル４４に引っかかり、怪我の誘発を未然に防止することが可能になる。
【００５５】
なお、本実施の形態における第１の表示部４５及び第２の表示部４６における表示の仕方は、ボール弁体６が開位置又は閉位置のいずれに位置するかを識別できるものであれば、「開」や「閉」以外の文字を用いてもよいし、文字以外の記号等を用いてもよい。また、第１の表示部４５及び第２の表示部４６は、文字を付して更にその部分を着色等してもよい。また、本実施の形態における軸部材９の軸中心から第１の表示部４５と第２の表示部４６までの距離をＬ５とし、それに伴い、軸部材９の軸中心から第１窓部４８と第２窓部４９までの距離をＬ５としているが、軸部材９の軸中心から第１の表示部４５と第２の表示部４６の距離は軸部材９の軸中心から先端までの操作ハンドル４４の長さＬ４よりも短ければ、異なっていてもよい。また、第１窓部４８及び第２窓部４９も、第１及び第２の表示部４５、４６が識別可能であれば、透明である必要はなく、着色等がされていてもよい。また、第１窓部４８及び第２窓部４９には、「開」又は「閉」の文字が大きく見えるようにレンズを取り付けてもよいし、プラスチック等で覆わずに単なる開口にしておいてもよい。
【００５６】
次に、第５の実施の形態のガス遮断弁装置について説明する。本実施の形態のガス遮断弁装置は、図４及び図５に示すような筐本体の内部に仕切り板が設けられているガス遮断弁装置に対して、図２に示すような蓋体の第１窓部に第１の表示部を設けると共に、第２窓部に第２の表示部を設けることによって構成されている。第１窓部は、ボール弁体が開位置に位置している場合に操作ハンドルの先端部が視認できる位置に設けられた開口部であり、その開口部に透明のプラスチック等の板材を嵌めこむ等して形成されている。また、第２窓部は、ボール弁体が閉位置に位置している場合に操作ハンドルの先端部が視認できる位置に設けられた開口部であり、その開口部に透明のプラスチック等の板材を嵌めこむ等して形成されている。また、第１窓部には第１の表示部としての「開」の文字が付され、第２窓部には第２の表示部としての「閉」の文字が付されて構成されている。また、これら第１の表示部及び第２の表示部としての「開」「閉」の文字の色は、仕切り板と同系色で付されている。
【００５７】
次に、本実施の形態のガス遮断弁装置の作用について説明する。先に説明した第１〜４の実施の形態のガス遮断弁装置と同様に、本実施の形態のガス遮断弁装置は、通常はボール弁体６が開位置に位置し、ガスが流れるようになっている。また、蓋体も閉められている。このとき、第２窓部に付された第２の表示部の「閉」の文字は、色が仕切り板に着色された色と同系色であるから、「閉」の文字を視認しにくくすることができ、第１窓部に付された第１の表示部の「開」の文字は、色が操作ハンドルに着色された色と異系色であるから、「開」の文字を視認しやすくすることができ、ボール弁体が開位置に位置していることを容易に識別することができる。
【００５８】
ここで、ボール弁体６を開位置から閉位置まで回転させてガスの流れを遮断する場合には、操作者が蓋体を開けて、水平方向に位置する操作ハンドルを回動させて先端部が下向きになるように位置させる。このとき、操作ハンドルは、軸部材を軸中心として回動するので、ボール弁体６を開位置から閉位置に回転させても、操作ハンドルの先端部が筐本体から突出せず、蓋体を閉じることができる。
【００５９】
このようにして、ボール弁体を閉位置に位置させて蓋体を閉じた場合には、第１の表示部の「開」の文字は、仕切り板と同系色で付されており、操作ハンドルが第１窓部から視認できる位置にないので、仕切り板の色によって視認しにくくすることができる。一方、第２の表示部の「閉」の文字は、操作ハンドルが第２窓部から視認できる位置にあり、「閉」の文字の色と操作ハンドルの色は異系色であるため、明確に視認できるようになり、ボール弁体６が閉位置に位置していることを容易に識別することができる。
【００６０】
以上より、本実施の形態のガス遮断弁装置においては、ボール弁体６が閉位置になるように操作ハンドルを操作しても、この操作ハンドルが筐本体から突出しないので、ボール弁体が閉位置になるように操作ハンドルを操作した後に蓋体を確実に閉じることができる。したがって、ボール弁体が閉位置に位置している場合も、看護師や患者などが操作ハンドルに引っかかり、怪我の誘発を未然に防止することが可能になる。
【００６１】
なお、本実施の形態における第１の表示部及び第２の表示部における表示の仕方は、ボール弁体が開位置又は閉位置のいずれにあるかが識別できるものであれば、「開」や「閉」以外の文字を用いてもよいし、文字以外の記号等を用いてもよい。
【００６２】
また、本実施の形態におけるガス遮断弁装置は、筐体を筐本体と蓋体とから構成しているが、筐本体は必ずしも必要ではなく、例えば壁面に凹部を設けてボール弁等を配置し、その凹部を覆うように、壁面に直接蓋体を取り付けてもよい。
【符号の説明】
【００６３】
１，２１，３１，４１  ガス遮断弁装置
２  ボール弁
３，２３，３３，４３  操作ハンドル
４，４２筐体
６  ボール弁体
９  軸部材
１０，２４  着色部
１２  筐本体
１３，２７，３７，４７  蓋体
１４，２８，３８，４８  第１窓部
１５，２９，３９，４９  第２窓部
２５  第１着色部
２６  第２着色部
２０ａ，２８ａ，３５，４５  第１の表示部
２０ｂ，２９ａ，３６，４６  第２の表示部
４３  仕切り板
【図１】
0005424783.tif 000002
【図２】
0005424783.tif 000003
【図３】
0005424783.tif 000004
【図４】
0005424783.tif 000005
【図５】
0005424783.tif 000006